(57)【要約】      （修正有）【課題】管を安定した状態で固定し、管を長期間しても管が損傷する恐れを軽減する管の固定装置を提供する。【解決手段】鍔付き中空ボルト１の上端部に上端から中空ボルトの内側下方向に傾斜した固定側壁２を有するとともに鍔付き中空ボルトの下端部の鍔に複数個の固定穴５を所定の間隔をおいて有し、中空固定部材６に下端部に上から下方向で中空固定部材の内側方向に傾斜した固定側壁７を有し、中空袋ナット９に水平壁１０を中空部縁部上端に有する。【選択図】図３
0003156273.tif 000002
【実用新案登録請求の範囲】
【請求項１】
管の周囲に鍔付き中空ボルトを有し、該鍔付き中空ボルトの上に着脱自在の中空固定部材を有して該中空固定部材の上に中空袋ナットを有する管の固定装置において、該鍔付き中空ボルトの上端部に上端から中空ボルトの内側下方向に傾斜した固定側壁を有するとともに鍔付き中空ボルトの下端部の鍔に複数個の固定穴を所定の間隔をおいて有し、前記中空固定部材に下端部に上から下方向で中空固定部材の内側方向に傾斜した固定側壁を有し、前記中空袋ナットに水平壁を中空部縁部上端に有して前記鍔付き中空ボルトの鍔の固定穴にネジで中空ボルトを取付板に固定するとともに中空ボルトの雄ネジに中空袋ナットの雌ネジを回転固定して中空固定部材の内側下縁部で管の外側を固定したことを特徴とする管の固定装置。
【請求項２】
鍔付き中空ボルトが、金属製の鍔付き中空ボルトであることを特徴とする請求項１記載の管の固定装置。
【請求項３】
鍔付き中空ボルトが、合成樹脂製の鍔付き中空ボルトであることを特徴とする請求項１記載の管の固定装置。
【請求項４】
中空固定部材が、ゴム製の中空固定部材であることを特徴とする請求項１記載の管の固定装置。
【請求項５】
中空固定部材が、合成樹脂製の中空固定部材であることを特徴とする請求項１記載の管の固定装置。
【請求項６】
中空袋ナットが、金属製の中空袋ナットであることを特徴とする請求項１記載の管の固定装置。
【請求項７】
中空袋ナットが、合成樹脂製の中空袋ナットであることを特徴とする請求項１記載の管の固定装置。
【請求項８】
中空袋ナットが、多角形の外形であることを特徴とする請求項１記載の管の固定装置。
【考案の詳細な説明】
【技術分野】
【０００１】  この考案は、給水管や排水管などの管を固定する装置に係るものである。
【背景技術】
【０００２】  従来は、洗面所の洗面台の中に設けた給水管などの縦方向の管が設置されている。
【先行技術文献】
【特許文献】
【０００３】  従来の給水管などの縦方向の管は、固定されていなかったり、縦方向の管に横方向の支持固定装置で固定されたりしたものがあり、その１例として特開２００３−２４０１６２号公報（「０００２」から「０００４」欄、図７）に従来の排水管の支持固定装置として横方向の管に縦方向の支持固定装置で固定されたものが記載されている特許文献があり、この従来の排水管の支持固定装置を９０度回転させた形状にして縦方向の管を支持固定装置で固定されたものがある。
【特許文献１】  特開２００３−２４０１６２号公報
【考案の概要】
【考案が解決しようとする課題】
【０００４】  従来の給水管などの縦方向の管は、縦方向から固定されていないために不安定であるので、重い水を縦方向の管に通水した時などに横揺れなどが繰り返し行われるために長期間使用しているうちに縦方向の管が損傷する恐れがあるという問題点などがあった。
【問題を解決するための手段】
【０００５】  鍔付き中空ボルトの上端部に上端から中空ボルトの内側下方向に傾斜した固定側壁を有するとともに鍔付き中空ボルトの下端部の鍔に複数個の固定穴を所定の間隔をおいて有し、中空固定部材に下端部に上から下方向で中空固定部材の内側方向に傾斜した固定側壁を有し、中空袋ナットに水平壁を中空部縁部上端に有するものである。
【考案の効果】
【０００６】  この考案の管の固定装置は、鍔付き中空ボルトの上端部に上端から中空ボルトの内側下方向に傾斜した固定側壁を有するとともに鍔付き中空ボルトの下端部の鍔に複数個の固定穴を所定の間隔をおいて有し、中空固定部材に下端部に上から下方向で中空固定部材の内側方向に傾斜した固定側壁を有し、中空袋ナットに水平壁を中空部縁部上端に有するから、中空ボルトの鍔の固定穴にネジで中空ボルトを取付板である洗面台の内側床板に固定することができるとともに中空ボルトの雄ネジに中空袋ナットの雌ネジに回転して中空固定部材を押下げることにより中空固定部材が傾斜した固定側壁が、中空ボルトの傾斜した固定側壁に沿って下降するためにこの中空固定部材が内側に押付けられて管を安定した状態で固定することができるし、管を上下２か所で安定した状態で固定することができる。
この洗面台の内側床板に縦管の外径より大きくした４角形などの穴を設け、この穴に縦管を入れると、その大きな隙間に小物が落下するのを中空ボルトの鍔で防止することができ、この穴の見悪い縁部と隙間を中空ボルトの鍔で被覆するためにこの部分の外観を綺麗に良くすることができるし、この隙間から空気などの流入と流出を中空ボルトの鍔と上部の中空固定部材とで防止することができる。
したがって、この縦管に水などの液体や気体などを通した時などに横揺れなどを防止することができるとともに長期間安定した状態で縦管などの管を使用することができるし、長期間使用しても縦方向の管が損傷する恐れが少ないという効果がある。
そして、固定した管や固定部品が長期間使用して老朽化した管や中空固定部材などを交換する際は、管を切断して中空袋ナットを逆回転して取外すとともに中空ボルトのネジを取外すことにより新しい管や新しい１部の部品を比較的簡単に交換することができる。
【０００７】  請求項２の管の固定装置は、鍔付き中空ボルトが、金属製の鍔付き中空ボルトであるから、この鍔付き中空ボルトで管を長期間安定した状態で固定することができる。
特に、管が金属製である時は、両者が金属製であるために良好な状態で長期間安定した状態で固定することができる。
【０００８】  請求項３の管の固定装置は、鍔付き中空ボルトが、合成樹脂製の鍔付き中空ボルトであるから、この鍔付き中空ボルトで管を長期間安定した状態で固定することができる。
特に、管が合成樹脂製である時は、両者が合成樹脂製であるために良好な状態で長期間安定した状態で固定することができる。
【０００９】  請求項４の管の固定装置は、中空固定部材が、ゴム製の中空固定部材であるから、中空この固定部材で管を長期間安定した状態で固定することができる。
【００１０】  請求項５の管の固定装置は、中空固定部材が、合成樹脂製の中空固定部材であるから、この中空固定部材で管を長期間安定した状態で固定することができる。
特に、管が合成樹脂製である時は、両者が合成樹脂製であるために良好な状態で長期間安定した状態で固定することができる。
【００１１】  請求項６の管の固定装置は、中空袋ナットが、金属製の中空袋ナットであるから、この中空袋ナットで管を長期間安定した状態で固定することができる。
特に、管が金属製である時は、両者が金属製であるために良好な状態で長期間安定した状態で固定することができる。
【００１２】  請求項７の管の固定装置は、中空袋ナットが、合成樹脂製の中空袋ナットであるから、この中空袋ナットで管を長期間安定した状態で固定することができる。
特に、管が合成樹脂製である時は、両者が合成樹脂製であるために良好な状態で長期間安定した状態で固定することができる。
【００１３】  請求項８の管の固定装置は、中空袋ナットが、多角形の外形であるから、この多角形中空袋ナットで管を長期間安定した状態で固定することができる。
特に、この多角形中空袋ナットを器具で鍔付き中空ボルトに締付け、取外しの際に比較的簡単に締付けたり、取外したりすることができる。
【００１４】
【図面の簡単な説明】
【００１５】
【図１】  本考案品の正面図である。
【図２】  同じく平面図である。
【図３】  同じく要部の拡大断面図である。
【図４】  本考案品の固定前の拡大断面図である。
【図５】  中空固定部材の拡大平面図である。
【図６】  中空固定部材の拡大底面図である。
【考案を実施するための形態】
【００１６】  鍔付き中空ボルトの上端部に上端から中空ボルトの内側下方向に傾斜した固定側壁を有するとともに鍔付き中空ボルトの下端部の鍔に複数個の固定穴を所定の間隔をおいて有し、中空固定部材に下端部に上から下方向で中空固定部材の内側方向に傾斜した固定側壁を有し、中空袋ナットに水平壁を中空部縁部上端に有するものである。
【実施例１】
【００１７】  管の固定装置は、管の周囲にステンレス製の鍔付き中空ボルト１を有し、この鍔付き中空ボルトの上にゴム製の中空固定部材６を着脱自在に有してこの中空固定部材の上にステンレス製の中空袋ナット９を有するものである。
この鍔付き中空ボルト１は、上端部に上端から中空ボルトの内側下方向に傾斜した固定側壁２を有するとともに外側に雄ネジ３を有し、下端部の鍔４に固定穴５を所定の間隔をおいて４個有する（図４図２図示）。
中空固定部材（ゴムパッキン）６は、図４図６に図示のように、下端部に上から下方向で中空固定部材の内側方向に傾斜した固定側壁７を全周に有し、中央に円形の中空部８を有する。
中空袋ナット９は図４に図示のように、水平壁１０を中空部１１の上端全周縁部に有するとともに内側に雌ネジ１２を有する。
この管の固定装置は、図１図２に図示のように、洗面台の内側取付板１３に縦管１４の外径より大きい穴１５を設け、この穴に縦管を入れ、縦管に鍔付き中空ボルト１を挿入してこの中空ボルトの固定穴５にビス１６で中空ボルトを取付板に固定し、次に中空固定部材６の下端部内側方向に傾斜した固定側壁７を、中空ボルト１の下方向に傾斜した固定側壁２の上に、載せ、更にこの中空固定部材の上に中空袋ナット９を載せて、中空袋ナットの雌ネジ１２を中空ボルトの雄ネジ３に回転固定して中空固定部材の内側下縁部で管の外側を固定した管の固定装置である。【００１８】  この実施例１の管の固定装置は、この中空袋ナットの雌ネジ１２を中空ボルトの雄ネジ３に回転して下降することにより中空固定部材６の固定側壁７などは中空袋ナットの下降にともなって中空袋ナットの水平壁１０により強く固定される。この固定の際に、中空固定部材６の傾斜した固定側壁７が中空ボルト１の傾斜した固定側壁２に良く案内されて円滑に固定される。【００１９】  この実施例１の管の固定装置は、鍔付き中空ボルトと中空袋ナットとしてステンレス製金属のものについて説明したが、他の金属のものでも良いし、合成樹脂のものも良く、中空袋ナットの外形は多角形が良い。
中空固定部材としてゴム製ものについて説明したが、中空固定部材として合成樹脂のものも良い。なお、この管の固定装置で管を洗面台などの内側取付板と同様にして横方向に固定しても良い。
【符号の説明】
【００２０】  １  鍔付き中空ボルト
２  固定側壁
３  雄ネジ
４  鍔
５  固定穴
６  中空固定部材
７  固定側壁
８  中空部
９  中空袋ナット
１０  水平壁
１１  中空部
１２  雌ネジ
【図１】
0003156273.tif 000003
【図２】
0003156273.tif 000004
【図３】
0003156273.tif 000005
【図４】
0003156273.tif 000006
【図５】
0003156273.tif 000007
【図６】
0003156273.tif 000008